(57)【特許請求の範囲】
【請求項１】
車両本体と、該車両本体に搭載されて資機材を収納する収納庫と、該収納庫に画成された収納空間に対して出入可能に設けられた上部開口の収納本体とを備える作業車において、
前記収納本体は、前記収納本体を前記収納空間内に配設されたガイドレールに沿って案内する案内ローラを有すると共に、該案内ローラが外部側へ転動するのに伴って前記案内ローラの支軸回りに回転し、外部側が内部側よりも下方に位置した傾斜姿勢をとるように構成され、
かつ、前記収納本体の傾斜角を調整する角度調整手段を備えることを特徴とする作業車。
【請求項２】
前記角度調整手段は、前記収納空間の内外方向に可動に設けられ、固定位置に応じて前記収納本体を所定の傾斜角で支持する支持部材と、該支持部材の前記収納空間の内外方向における固定位置を調整する調整部材とを備えるものであり、
前記調整部材が、外部側から操作可能に設けられていることを特徴とする請求項１に記載の作業車。
【請求項３】
前記収納空間内に定荷重ばねが設置され、前記収納本体に前記定荷重ばねの一端が取付け固定されていることを特徴とする請求項１又は２に記載の作業車。
【発明の詳細な説明】
【技術分野】
【０００１】
本発明は、伸縮式のクレーン装置を搭載した救助工作車、作業用移動体としてのはしごを搭載したはしご付消防自動車、消防ポンプを搭載した消防ポンプ自動車、放水用の水槽を搭載した水槽付消防車等の作業車に関し、より詳細には、工具や救護具等の各種資機材を収納する収納庫が車両本体に搭載された作業車に関するものである。
【背景技術】
【０００２】
火災、震災、水難事故等の各種災害の発生時に出動する上記の各種作業車には、工具や救護具等の各種資機材を収納するための収納庫が設けられている。この種の作業車に設けられる収納庫は、出来るだけ多くの資機材を収納することができるように、消火活動や救助活動（以下、救助活動等という）に当たる作業者の頭を超えるような高さ位置に至って設けられているのが通例である。
【０００３】
しかしながら、高位置に収納された資機材の取り出し性が悪いと、作業者の作業負担が大きくなり、また一刻を争う救助活動等に支障を来たすことも起こり得る。そこで、高位置に収納された資機材の取り出し性向上を図った作業車として、例えば以下に示す特許文献１に開示されたものがある。詳細には、収納庫の開口部（入口）を閉塞する扉板を、収納庫入口を閉塞する直立位置と外側に倒れる水平位置とに回動可能とし、外側に倒れた水平位置において扉板をステップ（踏み台）として利用可能に構成したものである。
【先行技術文献】
【特許文献】
【０００４】
【特許文献１】特開平１０−１００７９６号公報
【発明の概要】
【発明が解決しようとする課題】
【０００５】
ところで近年、資機材の収納効率向上等を図るべく、作業車の収納庫に、いわゆる引出装置を設置する試みがなされている。ここでいう引出装置とは、収納庫に画成した収納空間に対して出入可能に設けられたスライド式の収納本体（資機材を収納可能な上部開口の箱型形状をなすもの）を主要な構成として備えるものである。
【０００６】
しかしながら、既存の作業車に設置されている上記の引出装置としては、収納本体が、収納空間の内外方向に沿った水平方向移動のみを許容されたタイプが一般的である。このような収納本体が高位置に設置されていると、当該収納本体を引き出しただけでは収納された資機材を作業者が視認することが困難であることに加え、収納された資機材の取り出し性が悪く、救助活動等を円滑に行う上での障害となるという問題が指摘されている。かかる問題は、上記特許文献１に記載のような踏み台を設けておくことである程度解消することができるが、踏み台の上り下りという動作が必要である分、作業者に余計な動作負担を強いることとなる。
【０００７】
本発明の課題は、高位置に収納された資機材の視認性や取り出し性を向上し、これにより、救助活動等に当たる作業者の負担を軽減すると共に、救助活動等を一層円滑に実行することが可能な作業車を提供することにある。
【課題を解決するための手段】
【０００８】
上記課題を解決するためになされた本発明は、車両本体と、車両本体に搭載されて資機材を収納する収納庫と、収納庫に画成された収納空間に対して出入可能に設けられた上部開口の収納本体とを備える作業車において、収納本体は、収納本体を収納空間内に配設されたガイドレールに沿って案内する案内ローラを有すると共に、案内ローラが外部側へ転動するのに伴って案内ローラの支軸回りに回転し、外部側が内部側よりも下方に位置した傾斜姿勢をとるように構成され、かつ、収納本体の傾斜角を調整する角度調整手段を備えることを特徴とするものである。
【０００９】
ここで、本発明でいう作業車には、上述のように、伸縮式のクレーン装置を搭載した救助工作車、作業用移動体としてのはしごを搭載したはしご付消防自動車、消防ポンプを搭載した消防ポンプ自動車、放水用の水槽を搭載した水槽付消防車等が含まれる。また、本発明でいう外部側とは収納空間の外部側（開口側）を、内部側とは収納空間の内部側（奥側）を意味する。
【００１０】
上記のように、収納本体に設けた案内ローラが外部側へ転動するのに伴って（収納本体が引き出されるのに伴って）、収納本体が案内ローラの支軸回りに回転し、外部側が内部側よりも下方に位置した傾斜姿勢をとるように構成すれば、引き出し時における収納本体に収納した資機材の視認性および取り出し性を向上することができる。しかも、収納本体の傾斜角を調整する角度調整手段を備えることから、収納本体の設置高さや作業者の身長等に応じて、収納本体に収納された資機材の視認性や取り出し性を最適なものに設定することができる。従って、救助活動等に当たる作業者の作業負担を軽減すると共に、救助活動等を一層円滑に実行することが可能となる。また、救助活動等の終了後、資機材を収納本体に収納する際の作業性を向上することもできる。
【００１１】
上記の角度調整手段は、収納空間の内外方向に可動に設けられ、固定位置に応じて収納本体を所定の傾斜角で支持する支持部材と、支持部材の収納空間の内外方向における固定位置を調整する調整部材とを備えるものとすることができる。このとき、調整部材を、外部側から操作可能に設けておけば、収納本体の傾斜角の調整を容易かつスムーズに行うことができる。
【００１２】
ところで、救助活動等に使用する各種資機材は、高い強度を具備している必要があるために比較的重量物である場合が多い。このとき、収納本体が引き出し時に傾斜姿勢をとるものであると、資機材が収納されて重量物となった収納本体の格納動作に多大な力が必要となり、救助活動等を円滑に行う上での障害となる可能性がある。かかる事態に鑑み、収納空間内に定荷重ばねを設置し、収納本体に定荷重ばねの一端を取付け固定するのが望ましい。定荷重ばねとは、ばねの伸び量や撓み量に関わらず常に一定の力で往復するばねである。従って、収納本体が傾斜姿勢をとる上記本発明の構成においても、収納本体を小さな力でもって格納することが可能となり、作業性が向上する。
【００１３】
収納空間内には、特に収納本体格納時に作用する衝撃力を吸収・緩和する緩衝装置（ショックアブソーバ）を設置しても良い。これにより、収納本体に収納された各種資機材が、収納本体の格納動作に伴って収納本体内で移動、破損等するような事態を可及的に防止することができる。
【発明の効果】
【００１４】
以上に示すように、本発明によれば、高位置に収納された資機材の視認性や取り出し性、さらには資機材の収納本体に対する収納性を向上することができる。従って、本発明に係る作業車であれば、救助活動等に当たる作業者の負担を軽減すると共に、円滑な救助活動等を実行することができる。
【図面の簡単な説明】
【００１５】
【図１】本発明の実施形態に係る作業車の概略側面図である。
【図２】図１に示す作業車の収納庫を開口させた状態における概略側面図である。
【図３】（ａ）図は収納本体の格納状態における引出装置の概略正面図、（ｂ）図は同概略背面図である。
【図４】収納本体の格納状態における引出装置の概略平面図である。
【図５】収納本体の格納状態における引出装置の概略底面図である。
【図６】（ａ）図は収納本体の格納状態における引出装置の概略左側面図、（ｂ）図は同概略右側面図である。
【図７Ａ】角度調整手段の拡大正面図である。
【図７Ｂ】角度調整手段の拡大背面図である。
【図７Ｃ】図７Ａ中に示すＹ１方向矢視図であり、角度調整手段の拡大平面図である。
【図７Ｄ】図７Ａ中に示すＹ２方向矢視図であり、角度調整手段の拡大底面図である。
【図７Ｅ】図７Ａ中に示すＸ１方向矢視図であり、角度調整手段の拡大側面図である。
【図７Ｆ】図７Ａ中に示すＸ２方向矢視図であり、角度調整手段の拡大側面図である。
【図８】収納本体の引き出し状態における引出装置の概略左側面図である。
【図９】収納本体の部分拡大平面図である。
【発明を実施するための形態】
【００１６】
以下、本発明の実施の形態を図面に基づいて説明する。
【００１７】
図１は、本発明の実施形態に係る作業車としての救助工作車を示している。この救助工作車は、車両本体１と、車両本体１に搭載され、救助活動等に用いる工具や救護具等の各種資機材を収納する収納庫２とを備えている。さらに、車両本体１の前部および後部には、フロントウィンチ３および伸縮式のクレーン装置４がそれぞれ搭載されている。
【００１８】
収納庫２は、上部収納庫６と下部収納庫７とに分かれている。救助工作車の走行時において、上部収納庫６の開口部は電動式又は手動式のシャッター８によって閉塞され、下部収納庫７の開口部は回動可能な扉板９によって閉塞されている。そして、救助工作車が災害現場に到着すると、シャッター８を巻き上げて上部収納庫６を開口させると共に扉板９を回動させて下部収納庫７を開口させ、上部収納庫６および下部収納庫７に収納された必要な資機材を取り出す。なお、扉板９は、下部収納庫７の開口部を閉塞する直立位置と、下部収納庫７の開口部を開口させる外側に倒れた水平位置とに回動可能に構成されたものであり、外側に倒れた水平位置においてはステップ（踏み板）として利用可能である。
【００１９】
図２に示すように、上部収納庫６は、アングルや棚板等を組み合わせることによって複数の収納空間１０に区画されている。複数の収納空間１０のうち、一又は複数の収納空間１０（図２では中央部上側に画成された２つの収納空間１０）には収納本体１１が出入可能に装着されており、以下に詳述する引出装置１８を構成している。なお、以下の説明においては方向性を示すために「外部側」および「内部側」なる語句を使用するが、これらはそれぞれ、収納空間１０の外部側（開口側）および内部側（奥側）を意味する。
【００２０】
以下、図３〜図９を参照しながら、本発明に係る作業車の要部である引出装置１８について説明を行う。
【００２１】
引出装置１８は、収納空間１０に対して出入可能に装着された収納本体１１と、案内手段２０と、角度調整手段３０と、定荷重ばね４０とを主要な構成として備える。
【００２２】
収納本体１１は、図３〜６に示すように、前パネル１４、後パネル１５、左右一対のサイドパネル１６，１６および底パネル１７からなる上部開口の箱型形状をなし、棚板１３と、車両本体１の車幅方向に延びた左右一対のＬ型アングル１２，１２とで画成された収納空間１０に対して出入可能に装着されている。なお、図３以外の図面においては、棚板１３の図示を省略している。
【００２３】
案内手段２０は、収納空間１０に対する収納本体１１の出入移動を案内するためのものであり、図４に示すように収納本体１１の幅方向両側に一組ずつ設けられる。各案内手段２０は、図３に示すように、Ｌ型アングル１２の起立部１２ａの内面に固定され、収納空間１０の内外方向に延びた断面コの字状をなすガイドレール２１と、収納本体１１のサイドパネル１６に取り付けられ、収納本体１１をガイドレール２１に沿って案内する案内ローラ２４とで主要部が構成される。
【００２４】
ガイドレール２１は、図６に示すように、水平方向に延びたストレート部２２と、外部側が内部側よりも上方に変位し、水平方向に対して傾斜した傾斜部２３とを備え、ストレート部２３の内部側一端および傾斜部２４の外部側一端は案内ローラ２４の可動範囲を規制するために閉塞されている。案内ローラ２４は、サイドパネル１６に挿通された支軸２４ａと、この支軸２４ａに回転自在に外嵌され、ガイドレール２１上を転動するローラ体２４ｂとを備えるものであり、ここではサイドパネル１６の内部側一端にのみ装着されている。このように、ガイドレール２１に沿って収納本体１１を案内する案内ローラ２４が収納本体１１の内部側一端にのみ装着されていることから、収納本体１１は案内ローラ２４の支軸２４ａ回りに回転可能である。そして、ガイドレール２１が上記の傾斜部２３を備えることから、収納本体１１は、引き出されるのに伴って（案内ローラ２４が外部側へ転動するのに伴って）案内ローラ２４の支軸２４ａ回りに下方に回転し、外部側が内部側よりも下方に位置した傾斜姿勢をとる（図８参照）。
【００２５】
図３および図６に示すように、収納本体１１の底パネル１７の下方（底パネル１７と棚板１３との間）であって、収納空間１０の外部側一端には、以下に詳述する角度調整手段３０を構成する支持部材としての支持ローラ３１が配設されている。これにより、収納本体１１の引き出しおよび格納時には、収納本体１１の外底面が支持ローラ３１によって支持されるので、収納本体１１の引き出しおよび格納動作はスムーズに行われる。
【００２６】
角度調整手段３０は、引き出し時における収納本体１１の傾斜角（最大傾斜角）を調整するためのものであり、図４に示すように収納本体１１の幅方向両側に一組ずつ設けられる。角度調整手段３０は、図７Ａ〜図７Ｆに拡大して示すように、上記した支持ローラ３１と、支持ローラ３１を回転自在に保持し、収納空間１０の内外方向に可動に設けられた保持部材３２と、収納空間１０の内外方向における保持部材３２および支持ローラ３１の固定位置を調整する調整部材としての調整ねじ３３とを主要部として構成される。
【００２７】
調整ねじ３３は、その外部側一端がＬ型アングル１２に設けられた前パネル１４と平行な前壁部１２ｂに螺合し、その内部側が保持部材３２に螺合している。Ｌ型アングル１２の起立部１２ａには、収納空間１０の内外方向に延びる長穴１２ａ１が形成されている。長穴１２ａ１にはＬ型アングル１２の外側からボルト部材３４が挿通されており、このボルト部材３４はＬ型アングル１２の内側で保持部材３２に対して締結（ナット固定）されている。これにより、保持部材３２およびこれに保持された支持ローラ３１は、Ｌ型アングル１２に支持されると共に、収納空間１０の内外方向に可動となっている。以上の構成から、調整ねじ３３を回転させると、調整ねじ３３の回転方向に応じて、保持部材３２およびこれに保持された支持ローラ３１がＬ型アングル１２の長穴１２ａ１に沿って外部側若しくは内部側に移動する。
【００２８】
上記のとおり、案内ローラ２４が転動するガイドレール２１は、外部側一端が閉塞されていることから、収納本体１１の最大引き出し位置は一定である。そのため、調整ねじ３３を回転させて保持部材３２を外部側に移動させると、案内ローラ２４（厳密には、収納本体１１の回転動作を支持する案内ローラ２４の支軸２４ａ）と支持ローラ３１の離間距離が大きくなり、両者を結ぶ線分の水平方向に対する傾斜角が小さくなる。これにより、引き出し時における収納本体１１の傾斜角は小さくなる。これとは反対に保持部材３２を内部側に移動させると、案内ローラ２４と支持ローラ３１の離間距離が小さくなり、両者を結ぶ線分の水平方向に対する傾斜角が上記の場合よりも大きくなる。これにより、引き出し時における収納本体１１の傾斜角は大きくなる。
【００２９】
調整ねじ３３は外部側から操作可能、すなわち、引き出し時における収納本体１１の傾斜角は外部側から調整可能となっている。詳細に述べると、図３（ａ）に示すように、収納本体１１の前パネル１４のうち、調整ねじ３３を水平方向に投影した位置には貫通孔１４ａが設けられており、この貫通孔１４ａからドライバーを差し込むことによって調整ねじ３３を回転させることが（角度調整手段３０を操作することが）できるようになっている。このように、外部側から（収納本体１１の前パネル１４側から）調整ねじ３３を操作可能とすることで、収納本体１１の傾斜角の調整を容易かつスムーズに行うことができる。
【００３０】
棚板１３の内部側一端には一対のブラケット４１，４１が取り付けられており、定荷重ばね４０は、ブラケット４１，４１間に懸架された支軸４２によって回転自在に支持されている。定荷重ばね４０のばね部４０ａの先端部は、連結部材４３を介して収納本体１１の外底面に取り付けられている（図５を参照。）。ここで定荷重ばね４０とは、ばね部４０ａの伸び量や撓み量に関わらず常に一定の力で往復するばねである。本実施形態では、収納本体１１の幅方向中間部に定荷重ばね４０が設置されている。なお、定荷重ばね４０の代表例として、サンコースプリング株式会社製のコンストン（登録商標）が挙げられる。
【００３１】
図４〜図６に示すように、収納本体１１よりも内部側であって、収納本体１１の幅方向両端部には、収納本体１１格納時に作用する衝撃力を吸収・緩和する緩衝装置（ショックアブソーバ）５０がそれぞれ設けられている。これにより、収納本体１１に収納された各種資機材が、収納本体１１の格納動作に伴って収納本体１１内で移動、破損等するような事態を可及的に防止することができる。なお、本実施形態では、ガイドレール２１の内部側一端に緩衝装置５０の先端部を挿通し、緩衝装置５０の先端部を案内ローラ２４と接触可能に設けることにより、収納本体１１格納時に作用する衝撃力を吸収・緩和するようにしている。
【００３２】
図３〜図６および図８においては図示を省略しているが、救助工作車の走行時等における収納空間１０からの収納本体１１の意図せぬ飛び出しを防止すべく、収納本体１１には図９に示すようなロック機構６０が設けられる。同図に示すロック機構６０は、収納本体１１の底パネル１７に取り付けられた一対のラッチ錠６１，６１と、プッシュボタン６２ａを有し、前パネル１４に取り付けられたハンドル６２と、ハンドル６２とラッチ錠６１との間に介設され、プッシュボタン６２ａの押圧／解放に連動するかたちで動作する一対の連結部材６３，６３とで主要部が構成される。
【００３３】
ラッチ錠６１は、収納本体１１の幅方向外向きに弾性的に付勢された係合片６１ａを有するものであり、係合片６１ａは、プッシュボタン６２ａが解放された状態においては、収納本体１１のサイドパネル１６よりも外側に突出して、静止側と係合する。これにより、収納空間１０からの収納本体１１の意図せぬ飛び出しが防止される。一方、プッシュボタン６２ａを押圧すると、これに連動するかたちで連結部材６３が係合片６１ａを内向きに引っ張り、係合片６１ａが収納本体１１の幅方向内側に後退移動する。これにより、係合片６１ａと静止側との係合状態が解消され、収納本体１１が収納空間１０から引き出し可能となる。
【００３４】
以上で説明したように、本発明では、収納本体１１に設けた案内ローラ２４が外部側へ転動するのに伴って（収納本体１１が引き出されるのに伴って）、収納本体１１が案内ローラ２４の支軸２４ａ回りに回転し、外部側が内部側よりも下方に位置した傾斜姿勢をとる。このような構成によれば、収納本体１１に収納した資機材の視認性および取り出し性を向上することができる。しかも、収納本体１１の傾斜角を調整する角度調整手段３０を備えることから、収納本体１１の設置高さや作業者の身長等に応じて、収納本体１１に収納された資機材の視認性や取り出し性を最適なものに設定することができる。従って、救助活動等に当たる作業者の作業負担を軽減すると共に、救助活動等を一層円滑に実行することが可能となる。また、救助活動等の終了後、資機材を収納本体１１に収納する際の作業性を向上することもできる。
【００３５】
なお、引き出し時における収納本体１１の水平方向に対する傾斜角θ（図８参照）は、これが小さ過ぎると資機材の視認性および取り出し性向上効果を有効に享受することができず、これが大き過ぎると、収納本体１１に収納した資機材が引き出し時に落下等する可能性がある。かかる事情に鑑み、引き出し時における収納本体１１の水平方向に対する傾斜角θは、１０°〜６０°、より好ましくは１０°〜４５°の範囲で設定可能とする。
【００３６】
ちなみに、図２に示すように、収納本体１１が上下二段に設けられた本実施形態においては、相対的に高位置にある収納本体１１の傾斜角を相対的に低位置にある収納本体の傾斜角よりも大きく設定する。これにより、高位置にある収納本体１１に収納された資機材の視認性および取り出し性を高めることができる。
【００３７】
ところで、救助活動等に使用する各種資機材は、高い強度を具備している必要があるために比較的重量物である場合が多い。このとき、本発明のように、収納本体１１が引き出し時に傾斜姿勢をとるものであると、資機材が収納されて重量物となった収納本体１１の格納動作に多大な力が必要となり、救助活動等を円滑に行う上での障害となる可能性がある。これに対して本発明では、収納空間１０内（棚板１３）に定荷重ばね４０を設置し、収納本体１１に定荷重ばね４０のばね部４０ａの一端を取付け固定したことから、収納本体１１を小さな力でもって格納することが可能となり、作業性が向上する。
【００３８】
以上では、伸縮式のクレーン装置を搭載した救助工作車に本発明を適用した場合について説明を行ったが、上記した本発明の構成は、作業用移動体としてのはしごを搭載したはしご付消防自動車、消防ポンプを搭載した消防ポンプ自動車、放水用の水槽を搭載した水槽付消防車等、資機材を収納する収納庫２を搭載したその他の作業車にも好ましく適用することができる。
【符号の説明】
【００３９】
１      車両本体
２      収納庫
１０    収納空間
１１    収納本体
１８    引出装置
２０    案内手段
２１    ガイドレール
２３    傾斜部
２４    案内ローラ
２４ａ  支軸
３０    角度調整手段
３１    支持ローラ（支持部材）
３２    保持部材
３３    調整ねじ（調整部材）
４０    定荷重ばね
５０    緩衝装置
６０    ロック機構
θ      傾斜角
【図１】
0005415244.tif 000002
【図２】
0005415244.tif 000003
【図３】
0005415244.tif 000004
【図４】
0005415244.tif 000005
【図５】
0005415244.tif 000006
【図６】
0005415244.tif 000007
【図７Ａ】
0005415244.tif 000008
【図７Ｂ】
0005415244.tif 000009
【図７Ｃ】
0005415244.tif 000010
【図７Ｄ】
0005415244.tif 000011
【図７Ｅ】
0005415244.tif 000012
【図７Ｆ】
0005415244.tif 000013
【図８】
0005415244.tif 000014
【図９】
0005415244.tif 000015